(57)【要約】【課題】本発明はプラグコネクタ本体を備えた電子機器に関し、コネクタの接続及び接続解除時におけるこじり動作の影響が回避されるようにすることを課題とする。【解決手段】プラグコネクタ本体７０は、その基部側７０ｂに固定された被軸受部材８０を軸受部材８１によって支持されて、蓋４０に取り付けてある。被軸受部材８０の軸部８０ｂ，８０ｃが軸受部材８１の凹部８１ｂ，８１ｃに嵌合している。プラグコネクタ本体７０は蓋４０に対して傾くことが可能である。エラストマ製のスペーサ部材８３が開口４０ａに嵌合してある。【選択図】        図５
2004220978.tif 000002
【特許請求の範囲】
【請求項１】
プラグコネクタ本体が筐体から突き出るように設けてある電子機器において、
プラグコネクタ本体が筐体に対して傾くことが可能であるようにプラグコネクタ本体を筐体に対して支持するプラグコネクタ本体支持手段を有すると共に、
筐体とこれを貫通するプラグコネクタ本体との間の空間部内に、プラグコネクタ本体が筐体に対して傾かされるときに弾性的に圧縮されるスペーサ部材を設けてなる構成としたことを特徴とする電子機器。
【請求項２】
請求項１の電子機器において、
上記プラグコネクタ本体支持手段は、
プラグコネクタ本体の基部に固定してある被軸受部材と、
筐体に固定してあり、上記の被軸受部材の背面側を受ける軸受部材とよりなる構成であることを特徴とする電子機器。
【請求項３】
請求項１の電子機器において、
上記スペーサ部材は、プラグコネクタ本体の周囲に嵌合してあるゴム質のリング形状の部材であることを特徴とする電子機器。
【請求項４】
ジャックコネクタ本体が筐体に設けてある電子機器において、
ジャックコネクタ本体が傾くことが可能であるようにジャックコネクタ本体を筐体に対して支持するジャックコネクタ本体支持手段を有すると共に、
ジャックコネクタ本体と筐体との間の空間部内に、ジャックコネクタ本体が傾かされるときに弾性的に圧縮されるスペーサ部材を設けてなる構成としたことを特徴とする電子機器。
【請求項５】
ハウジングを持って操作されてジャックコネクタに差し込まれるプラグコネクタ装置であって、
プラグコネクタ本体がハウジングに対して傾くことが可能であるようにプラグコネクタ本体の基部を上記ハウジングに対して支持するプラグコネクタ支持手段を設けると共に、該プラグコネクタ本体とハウジングとの間の空間部内にプラグコネクタ本体がハウジングに対して傾かされるときに弾性的に圧縮されるスペーサ部材を設けてなる構成としたことを特徴とするプラグコネクタ装置。
【発明の詳細な説明】
【０００１】
【発明の属する技術分野】
本発明はコネクタを備えた電子機器に係り、特に操作者が電子機器を手に持って操作されてコネクタ接続が繰り返して行われる場合に適した電子機器に関する。
【０００２】
【従来の技術】
図９は従来の電子機器のプラグコネクタ構造を示す。プラグコネクタ構造は、プラグコネクタ本体２が電子機器１の筐体３に圧入或いはインサート成形されて固定されている構成である。電子機器１は操作者が手に持てる程度の大きさである。
【０００３】
電子機器１は、そのプラグコネクタ本体２をジャックコネクタ本体５に差し込んで接続されて、電子装置６に取り付けられて使用される。
【０００４】
【発明が解決しようとする課題】
電子機器１を電子装置６に取り付ける場合及び電子機器１を電子装置６から取り外す場合に、プラグコネクタ本体２のジャックコネクタ本体５に対する挿入及び引き抜くが円滑になされるように、操作者は電子機器１を上下に少し傾くように動かしてこじるようにしながら、プラグコネクタ本体２を挿入し、或いは、引き抜く操作を行うのが一般的である。
【０００５】
プラグコネクタ本体２が電子機器１の筐体３に圧入或いはインサート成形されて固定されている構成では、電子機器１を上下に少し傾くように動かすと、プラグコネクタ本体２の筐体３への固定部分４に荷重がかかる。特に電子機器１が電子装置６に何回も取り付けられたり取り外されたりする性質のものである場合には、電子機器１の使用を開始してからさほど時間が経過しないうちに、プラグコネクタ本体２の筐体３への固定部分４が傷んでしまうという問題があった。
【０００６】
そこで、本発明は上記課題を解決した電子機器を提供することを目的とする。
【０００７】
【課題を解決するための手段】
請求項１の発明は、プラグコネクタ本体が筐体から突き出るように設けてある電子機器において、
プラグコネクタ本体が筐体に対して傾くことが可能であるようにプラグコネクタ本体を筐体に対して支持するプラグコネクタ本体支持手段を有すると共に、
筐体とこれを貫通するプラグコネクタ本体との間の空間部内に、プラグコネクタ本体が筐体に対して傾かされるときに弾性的に圧縮されるスペーサ部材を設けてなる構成としたものである。
【０００８】
プラグコネクタ本体をジャックコネクタに差し込むとき及びプラグコネクタ本体をジャックコネクタから引き抜くときにこじるような動作が行われた場合でも、筐体とプラグコネクタ本体とがこじり動作に対応して折れ曲がることによって、プラグコネクタ本体の筐体への取り付け部分に強い力が作用することが回避され、よって、抜き差しを何回も繰り返してもプラグコネクタ本体の筐体への取り付け部分が傷んでしまう不都合を防止することが可能となる。スペーサ部材によって、プラグコネクタ本体を通常は水平の位置に安定に維持され、且つ、プラグコネクタ本体と筐体との間がシールされる。
【０００９】
請求項２の発明は、請求項１の電子機器において、
上記プラグコネクタ本体支持手段は、
プラグコネクタ本体の基部に固定してある被軸受部材と、
筐体に固定してあり、上記の被軸受部材の背面側を受ける軸受部材とよりなる構成であるようにしたものである。
【００１０】
プラグコネクタ本体を傾き可能に且つ頑丈に支持することが可能である。
【００１１】
請求項３の発明は、請求項１の電子機器において、
上記スペーサ部材は、プラグコネクタ本体の周囲に嵌合してあるゴム質のリング形状の部材である構成としたものである。
【００１２】
プラグコネクタ本体支持手段の組立てが容易となる。
【００１３】
請求項４の発明は、ジャックコネクタ本体が筐体に設けてある電子機器において、
ジャックコネクタ本体が傾くことが可能であるようにジャックコネクタ本体を筐体に対して支持するジャックコネクタ本体支持手段を有すると共に、
ジャックコネクタ本体と筐体との間の空間部内に、ジャックコネクタ本体が傾かされるときに弾性的に圧縮されるスペーサ部材を設けてなる構成としたものである。
【００１４】
プラグコネクタをジャックコネクタに差し込むとき及びプラグコネクタをジャックコネクタから引き抜くときにこじるような動作が行われた場合でも、ジャックコネクタ本体が筐体内で上記のこじり動作に対応して傾くことによって、ジャックコネクタ本体の筐体への取り付け部分に強い力が作用することが回避される。
【００１５】
請求項５の発明は、ハウジングを持って操作されてジャックコネクタに差し込まれるプラグコネクタ装置であって、
プラグコネクタ本体がハウジングに対して傾くことが可能であるようにプラグコネクタ本体の基部を上記ハウジングに対して支持するプラグコネクタ支持手段を設けると共に、該プラグコネクタ本体とハウジングとの間の空間部内にプラグコネクタ本体がハウジングに対して傾かされるときに弾性的に圧縮されるスペーサ部材を設けてなる構成としたものである。
【００１６】
ハウジングとプラグコネクタ本体とがこじり動作に対応して折れ曲がることによって、プラグコネクタ本体のハウジングへの取り付け部分に強い力が作用することが回避され、よって、抜き差しを何回も繰り返してもプラグコネクタ本体のハウジングへの取り付け部分が傷んでしまう不都合を防止することが可能となる。
【００１７】
【発明の実施の形態】
以下、図面と共に本発明の各実施例について説明する。図１乃至図５は本発明の第１実施例になるテレビゲーム装置用受信機２０を示す。
【００１８】
説明の便宜上、先ず、テレビゲーム装置用受信機２０が使用されるテレビゲーム装置について説明する。受信機２０は、図６に示すようにテレビゲーム装置１０にコネクタ接続されて使用される。説明の便宜上、テレビゲーム装置１０について説明する。テレビゲーム装置１０は、ゲーム機本体１２と、ゲーム機本体１２に対して制御信号を無線で送信するコントローラ（入力装置）１４とから構成されている。ゲーム機本体１２は、上面に電源スイッチ１５と、テレビゲームの制御プログラムが記憶されたディスク（ＣＤ−ＲＯＭ）が装着されるディスク装着部１６とが設けられている。受信機用ジャックコネクタ１８には、コントローラ１４から送信された制御信号（電波）を受信するテレビゲーム装置用受信機２０が接続されている。尚、受信機用ジャックコネクタ１８は、ケーブル接続用のものであり、ケーブル式のコントローラも接続することが可能になっている。また、ゲーム機本体１２は、ケーブル２２を介してテレビジョン装置２４に接続されている。このテレビジョン装置２４は、通常のテレビ放送を見られるようにテレビチューナを内蔵しており、ビデオチャンネルに切り替えることでゲーム機本体１２から転送されたゲーム画像（動画）を画面上に表示する。コントローラ１４は、箱型に形成された樹脂製の筐体２６の上面にＸ−Ｙ方向の操作キー２８と、３種類の操作釦３０が設けられている。また、コントローラ１４の筐体２６の内部には、送信機（図示せず）が収納されている。
【００１９】
次にテレビゲーム装置用受信機２０について説明する。
【００２０】
図１は受信機２０の外観を示す図であり、（Ａ）は背面図、（Ｂ）は側面図、（Ｃ）は正面図である。図２は図１（Ａ）中、ＩＩ−ＩＩ線に沿う断面図、図３は受信機２０を分解して示す図、図４は蓋４０を開けた状態を示す図、図５はプラグコネクタの部分を分解して示す図である。Ｘ１−Ｘ２は受信機２０の幅方向、Ｙ１−Ｙ２は長手方向、Ｚ１−Ｚ２は高さ方向である。
【００２１】
図１（Ａ）〜（Ｃ）に示されるように、受信機２０は、直方体形状の合成樹脂製のケース５０の内部に、図４に示す電子モジュール６０が組み込んであり、且つ、プラグコネクタ本体７０が背面側である蓋４０より突き出ており、且つ、前面側に、起動中であることを表示する発光ダイオード（ＬＥＤ）７６が設けられている構成である。ケース５０は、合成樹脂製のケース本体３０と合成樹脂製の蓋４０とよりなる構造である。
【００２２】
電子モジュール６０は、図２、図３及び図４に示すように、プリント基板６１に複数の電子部品６２が実装してあり、このプリント基板６１に、直方体形状のシールドケース６３が電子部品６２を覆うように固定してある構成である。
【００２３】
次にプラグコネクタ本体７０の蓋４０への取り付け構造について、図２、図５、図４を参照して説明する。
【００２４】
図２及び図５に示すように、プラグコネクタ本体７０は、略筒形状であり、内部には先端側７０ａに延びているコンタクト７１を有し、基部側７０ｂからはケーブル７２が引き出されている。ケーブル７２の端は電子モジュール６０と接続してある。
【００２５】
蓋４０には、プラグコネクタ本体７０の直径より十分に大きい開口４０ａが形成してある。プラグコネクタ本体７０が開口４０ａに嵌合した状態で、プラグコネクタ本体７０の外周面と開口４０ａの縁との間には、略リング状の空間部４２が形成される。
【００２６】
８０は被軸受部材であり、合成樹脂製であり、プラグコネクタ本体７０に嵌合してかしめられてこの基部側７０ｂに固定してある。被軸受部材８０は、Ｚ２方向に略半球状に突き出た部分を有する本体部８０ａと、この本体部８０ａからＸ１及びＸ２方向に突き出ている半円柱状の軸部８０ｂ，８０ｃとを有する。軸部８０ｂ，８０ｃはＺ２側に曲面を有する。
【００２７】
８１は軸受部材であり、合成樹脂製であり、Ｚ１側の面には、中央に略半球状の凹部８１ａを有し、この凹部８１ａの両側に半円柱状の凹部８１ｂ，８１ｃを有し、凹部８１ａに開口８１ｄが形成してある。
【００２８】
８３はスペーサ部材であり、リング部８３ａと、リング部８３ａのＺ２側より外側に張り出たフランジ部８３ｂとを有する。支持部材８３はエラストマ製であり、所定以上の力が作用されたときに弾性的に圧縮変形が可能である。スペーサ部材８３はゴム製でもよい。
【００２９】
プラグコネクタ本体７０は、被軸受部材８０をプラグコネクタ本体７０の基部側７０ｂに固定し、スペーサ部材８３をプラグコネクタ本体７０に嵌合させ、プラグコネクタ本体７０を蓋４０の裏面側から開口４０ａを通して蓋４０の表面側に突き出させ、スペーサ部材８３を開口４０ａに嵌合させ、ケーブル７２は開口８１ｄを通して引き出し、軸受部材８１を被軸受部材８０を覆うようにセットし、ねじ部材８５によって軸受部材８１を蓋４０の裏面に固定することによって、蓋４０に取り付けられ、図２に示す構造で支持される。
【００３０】
被軸受部材８０の軸部８０ｂ，８０ｃが軸受部材８１の凹部８１ｂ，８１ｃに嵌合しているため、ケース５０より突き出ているプラグコネクタ本体７０の先端側７０ａがＹ１，Ｙ２方向の力を作用させたときに、プラグコネクタ本体７０は図２中二点鎖線で示すようにケース５０に対してその先端側７０ａがＹ１，Ｙ２方向に変位するように傾くことが可能である。即ち、ケース５０とプラグコネクタ本体７０とは小さい角度範囲内ではあるけれども、折れ曲がるように屈曲可能である。通常は、プラグコネクタ本体７０はスペーサ部材８３によって支持されて、図２中実線で示す水平の位置とされている。
【００３１】
空間部４２がスペーサ部材８３で埋まっているため、プラグコネクタ本体７０はスペーサ部材８３を弾性的に圧縮変形させつつ動かされる。プラグコネクタ本体７０の先端側７０ａへの力を解除させると、プラグコネクタ本体７０はスペーサ部材８３の弾性力によって図２中、実線で示す水平の位置に戻される。また、スペーサ部材８３はプラグコネクタ本体７０と蓋４０との間のシールする役割も有する。
【００３２】
また、被軸受部材８０の軸部８０ｂ，８０ｃが軸受部材８１の凹部８１ｂ，８１ｃに嵌合していることに加えて、被軸受部材８０の本体部８０ａが軸受部材８１の凹部８１ａによって受けられている構造によって、プラグコネクタ本体７０に作用するプラグコネクタ本体７０をケース５０内に押し込む力が効果的に受け止められており、プラグコネクタ本体７０をケース５０内に押し込む外力に対する強度の向上が図られている。
【００３３】
また、スペーサ部材８３は、フランジ部８３ｂを蓋４０の裏面と被軸受部材８０とによって挟まれて、Ｚ１−Ｚ２方向の変位を制限されており、且つ、Ｚ１方向に変位してケース５０から外れることが防止されている。
【００３４】
次に、テレビゲーム装置用受信機２０をそのプラグコネクタ本体７０を受信機用ジャックコネクタ１８に挿入してゲーム機本体１２に取り付ける操作及びプラグコネクタ本体７０を受信機用ジャックコネクタ１８から引き抜いてテレビゲーム装置用受信機２０を受信機用ジャックコネクタ１８から取り外す操作、及びこのときのプラグコネクタ構造部の動作について説明する。
【００３５】
操作者は手に持った受信機２０を上下に少し傾くように動かしてこじるようにしながら、プラグコネクタ本体７０を受信機用ジャックコネクタ１８に挿入し、或いは、受信機用ジャックコネクタ１８から引き抜く操作を行うのが一般的である。
【００３６】
受信機２０を上下に少し傾くように動かした場合に、スペーサ部材８３が弾性的に圧縮変形されることによって、ケース５０がプラグコネクタ本体７０に対して動かされる。即ち、受信機２０のこじるような動きは、スペーサ部材８３の弾性的な圧縮変形を伴なって、ケース５０とプラグコネクタ本体７０とが上記のこじり動作に対応して屈曲されることによって吸収され、プラグコネクタ本体７０のケース５０への取り付け部に強い応力が発生することが回避され、プラグコネクタ本体７０のケース５０への取り付け部が傷んでしまう不都合が起きない。
【００３７】
よって、テレビゲーム装置用受信機２０をゲーム機本体１２に取り付け、取り外す操作を何回行っても、プラグコネクタ本体７０のケース５０への取り付け部が傷んでしまう不都合は起きない。
【００３８】
図７は本発明の第２実施例になるゲーム機本体１２Ａを示す。ゲーム機本体１２Ａは、ジャックコネクタ本体１００の取り付けに、図２及び図５に示すプラグコネクタ本体７０のケース５０への取り付け部の構造を適用したものであり、ゲーム機本体１２Ａの内部に、ジャックコネクタ本体１００、被軸受部材８０Ａ、軸受部材８１Ａ、及びスペーサ部材８３Ａが組み込んである。ジャックコネクタ本体１１０は二点鎖線で示すようにゲーム機本体１２Ａに対して少し上下に傾斜することが可能である。
【００３９】
図８は本発明の第３実施例になるプラグコネクタ装置１１０を示す。プラグコネクタ装置１１０は、図２及び図５に示すプラグコネクタ本体７０のケース５０への取り付け部の構造を適用したものであり、プラグコネクタハウジング１１１の内部に、被軸受部材８０、軸受部材８１、及びスペーサ部材８３が組み込んである。１１２はケーブルである。
【００４０】
プラグコネクタ本体７０は二点鎖線で示すようにプラグコネクタハウジング１１１に対して少し上下に傾斜することが可能である。よって、操作者がプラグコネクタ装置１１０のプラグコネクタハウジング１１１を掴んで押してジャックに接続する操作及び引いてジャックとの接続を解除する操作を行う場合に、プラグコネクタハウジング１１１を斜めの方向に押したり引いたりしても、プラグコネクタ本体７０のプラグコネクタハウジング１１１への取り付け部分が傷んでしまう不都合は起きない。
【００４１】
【発明の効果】
上述の如く、本発明によれば、プラグコネクタ本体が筐体に対して傾くことが可能であるようにプラグコネクタ本体を筐体に対して支持するプラグコネクタ本体支持手段を有すると共に、筐体とこれを貫通するプラグコネクタ本体との間の空間部内に、プラグコネクタ本体が筐体に対して傾かされるときに弾性的に圧縮されるスペーサ部材を設けてなる構成としたものであるため、プラグコネクタ本体をジャックコネクタに差し込むとき及びプラグコネクタ本体をジャックコネクタから引き抜くときにこじるような動作が行われた場合でも、筐体とプラグコネクタ本体とがこじり動作に対応して折れ曲がることによって、プラグコネクタ本体の筐体への取り付け部分に強い力が作用することが回避され、よって、抜き差しを何回も繰り返してもプラグコネクタ本体の筐体への取り付け部分が傷んでしまう不都合を防止することが出来る。また、スペーサ部材によって、プラグコネクタ本体を通常は水平の位置に安定に維持することが出来、且つ、プラグコネクタ本体と筐体との間をシールすることが出来る。
【図面の簡単な説明】
【図１】本発明の第１実施例になるテレビゲーム装置用受信機を示す図である。
【図２】図１（Ａ）中、ＩＩ−ＩＩ線に沿う断面図である。
【図３】テレビゲーム装置用受信機を分解して示す斜視図である。
【図４】蓋を開けた状態のテレビゲーム装置用受信機を示す斜視図である。
【図５】プラグコネクタ本体の蓋への取り付け部分を分解して示す斜視図である。
【図６】テレビゲーム装置用受信機が使用されるテレビゲーム装置を示す図である。
【図７】本発明の第２実施例になるゲーム機本体の一部を示す図である。
【図８】本発明の第３実施例になるプラグコネクタ装置を示す図である。
【図９】従来の電子装置を示す断面図である。
【符号の説明】
１０  テレビゲーム装置
１２Ａ  ゲーム機本体
２０  テレビゲーム装置用受信機
３０  ケース本体
４０  蓋
５０  ケース
６０  電子モジュール
８０  被軸受部材
８０ａ  本体部
８０ｂ，８０ｃ  軸部
８１  軸受部材
８１ｂ，８１ｃ  凹部
８３  スペーサ部材
１１０  プラグコネクタ装置
【図１】
2004220978.tif 000003
【図２】
2004220978.tif 000004
【図３】
2004220978.tif 000005
【図４】
2004220978.tif 000006
【図５】
2004220978.tif 000007
【図６】
2004220978.tif 000008
【図７】
2004220978.tif 000009
【図８】
2004220978.tif 000010
【図９】
2004220978.tif 000011